(57)【要約】      （修正有）【課題】耐圧性容器自体の耐候性に起因する劣化を確実に防止し、長期間にわたって所要の耐圧性および耐衝撃性を保持することができる消火器およびその製造方法を提供する。【解決手段】消火剤を充填する耐圧性容器を備えている消火器１である。耐圧性容器は、紫外線遮蔽剤ａおよび紫外線吸収性能を有する着色顔料ｂを添加した耐圧性を有する熱可塑性樹脂で構成されている。耐圧性容器は紫外線遮蔽剤および紫外線吸収性能を有する着色顔料を添加した耐圧性を有する熱可塑性樹脂のパリソンを分割金型間に配置してブロー成形する。耐圧性容器を構成する熱可塑性樹脂に添加する紫外線遮蔽剤は有機系紫外線遮蔽剤、無機系紫外線遮蔽剤であり、着色顔料は、有機多環式ペリレン系顔料、有機多環式キナクリドン系顔料、あるいはカーボンブラックである。【選択図】図１
2011050516.tif 000002
【特許請求の範囲】
【請求項１】
消火剤を充填する耐圧性容器を備えている消火器であって、
前記耐圧性容器は、紫外線遮蔽剤を添加した耐圧性を有する熱可塑性樹脂で構成されていることを特徴とする消火器。
【請求項２】
耐圧性容器を構成する熱可塑性樹脂には、さらに紫外線吸収性能を有する着色顔料を添加してあることを特徴とする請求項１記載の消火器。
【請求項３】
消火剤を充填する耐圧性容器を備えている消火器の製造方法であって、
紫外線遮蔽剤を添加した耐圧性を有する熱可塑性樹脂のパリソンを分割金型間に配置し、
次いで分割金型を型締めするとともにブロー成形して、紫外線遮蔽剤を添加した耐圧性を有する熱可塑性樹脂からなる前記消火剤を充填する耐圧性容器を得ることを特徴とする消火器の製造方法。
【請求項４】
紫外線遮蔽剤を添加した耐圧性を有する熱可塑性樹脂には、さらに紫外線吸収性能を有する着色顔料を添加することを特徴とする請求項３記載の消火器の製造方法。
【発明の詳細な説明】
【技術分野】
【０００１】
本発明は、消火剤を充填する耐圧性容器を備えている消火器およびその製造方法に関するものである。
【背景技術】
【０００２】
消火粉末、水、高圧ガス等を収容する消火器において、現行の金属製容器よりも軽量な熱可塑性樹脂製の消火器およびその熱可塑性樹脂製耐圧性容器をブロー成形する技術が進んでいる。熱可塑性樹脂製耐圧容器としては、例えば特開２００４−１９６９２６号公報（特許文献１）に記載されている。
【０００３】
しかしながら、耐圧性容器は、十分な耐圧強度とガスバリア性を有するものとされているが、消火器にあってはこれが屋外等に設置されて長期間にわたり太陽の直射光や間接光に曝されることが多いので、容器を構成する樹脂の経年劣化による耐圧性および耐衝撃性の低下が問題となる。そこで、その容器の耐圧性を向上させる補強を施す技術が開発されていて実開昭６０−１８２０６９号（特許文献２）および実公平６−２０５４６号公報（特許文献３）に記載されている。
【先行技術文献】
【特許文献】
【０００４】
【特許文献１】特開２００４−１９６９２６号公報
【特許文献２】実開昭６０−１８２０６９号公報
【特許文献３】実公平６−２０５４６号公報
【発明の概要】
【発明が解決しようとする課題】
【０００５】
ところで、特許文献２または特許文献３に記載されている消火器の耐圧性容器にあっては、容器の外周に補強手段を施しているが、容器を構成する樹脂の耐候性に起因する劣化は避けがたく、いずれも容器を構成する樹脂の経年劣化による耐圧性および耐衝撃性の低下が問題となることにかわりがない。
【０００６】
そこで本発明は、消火剤を充填する耐圧性容器を備えている消火器の耐圧性容器として、紫外線遮蔽剤を添加した耐圧性を有する熱可塑性樹脂で構成することにより、耐圧性容器自体の耐候性に起因する劣化を確実に防止し、長期間にわたって所要の耐圧性および耐衝撃性を保持することができる消火器を得ることを目的とするものである。
【課題を解決するための手段】
【０００７】
本発明は、消火剤を充填する耐圧性容器を備えている消火器であって、前記耐圧性容器は、紫外線遮蔽剤を添加した耐圧性を有する熱可塑性樹脂で構成されていることを特徴とするものである。
【０００８】
また本発明は、消火剤を充填する耐圧性容器を備えている消火器の製造方法であって、紫外線遮蔽剤を添加した耐圧性を有する熱可塑性樹脂のパリソンを分割金型間に配置し、次いで分割金型を型締めするとともにブロー成形して、紫外線遮蔽剤を添加した耐圧性を有する熱可塑性樹脂からなる前記消火剤を充填する耐圧性容器を得ることを特徴とするものである。
【０００９】
本発明に係る消火器において、耐圧性容器を構成する熱可塑性樹脂には、さらに紫外線吸収性能を有する着色顔料を添加してあること、耐圧性容器を構成する熱可塑性樹脂に添加する紫外線遮蔽剤は、有機系紫外線遮蔽剤、無機系紫外線遮蔽剤であること、耐圧性容器を構成する熱可塑性樹脂に添加する紫外線吸収性能を有する着色顔料は、有機多環式ペリレン系顔料、有機多環式キナクリドン系顔料、あるいはカーボンブラックであることが好適である。
【発明の効果】
【００１０】
本発明によれば、消火剤を充填する耐圧性容器を備えている消火器の耐圧性容器として、紫外線遮蔽剤を添加した耐圧性を有する熱可塑性樹脂で構成することにより、耐圧性容器自体の耐候性に起因する劣化を確実に防止し、長期間にわたって所要の耐圧性および耐衝撃性を保持することができる効果が得られる。
【図面の簡単な説明】
【００１１】
【図１】本発明に係る消火器の耐圧性容器を示す全体断面図および小円で囲んだ部分の拡大断面図である。
【図２】本発明に係る消火器の耐圧性容器を示す全体斜視図である。
【図３】本発明に係る消火器の全体斜視図である。
【図４】本発明に係る消火器の耐圧性容器をブロー成形する態様であって、熱可塑性樹脂の多層パリソンを分割金型間に配置した工程を示す断面図である。
【図５】図４の工程から分割金型を型締めしてブロー成形した工程を示す断面図である。
【図６】図５の工程から分割金型を型開きして成形品を取り出す工程を示す断面図である。
【発明を実施するための形態】
【００１２】
図１ないし図３に示すように、本発明に係る消火器１は、消火剤を充填する耐圧性容器２を備えているものである。耐圧性を有する熱可塑性樹脂で構成されており、耐圧性容器２の胴部３は円筒状であって、４は肩部、５は口部、６は底部である。口部５は、突出形成された筒状のものであって、口部５の外周にはネジ部７が形成されていて、口部５には操作部８のキャップ９が装着される。操作部８は固定レバー１０と可動レバー１１を有している。１２は、消火剤噴射ホースである。１３は底部カバーであって、この底部カバー１３により耐圧性容器２の自立安定姿勢が確保される。１４は掛け止めフックである。図示の実施の態様では、耐圧容器２の胴部３を肩部４から底部６にわたって外周をさらにシュリンクラベル１５で被覆されている。
【００１３】
前記耐圧性容器２は、紫外線遮蔽剤を添加した耐圧性を有する熱可塑性樹脂で構成されており、熱可塑性樹脂に添加する紫外線遮蔽剤は、有機系紫外線遮蔽剤、無機系紫外線遮蔽剤である。熱可塑性樹脂には、さらに紫外線吸収性能を有する着色顔料を添加することができる。図１においてａは添加した紫外線遮蔽剤、ｂは同じく紫外線吸収性能を有する着色顔料を示している。
【００１４】
有機系紫外線遮蔽剤は、サリシレート系、ベンゾフェノン系、シアノアクリレート系、ヒダントイン系誘導体、ヒンードアミン系（光安定剤）等の有機化合物等である。また、無機系紫外線遮蔽剤は、酸化チタン、酸化亜鉛、酸化セリウム、シリカ等の金属酸化物、タルク、マイカ、カオリン、炭酸カルシウム、カーボンブラック等である。金属酸化物は、０．１μｍ以下の平均粒子径を有する微粒子とすることで紫外線波長領域の散乱能を発揮し、広い範囲で紫外線を遮断することができる。このため、無機系紫外線遮蔽剤は化学的安定性が高く、長期間にわたって保管されることがある消火器の耐圧性容器２を構成する耐圧性を有する熱可塑性樹脂に添加する紫外線遮蔽剤として好適である。これに比して有機系紫外線遮蔽剤は即効的な紫外線遮蔽効果を期待することができても、持続性、耐久性、安全性等の面で劣るとの問題提起もある。
【００１５】
耐圧性容器２を構成する熱可塑性樹脂に添加する紫外線吸収性能を有する着色顔料は、有機多環式ペリレン系顔料、有機多環式キナクリドン系顔料、あるいはカーボンブラックである。耐圧性容器２を構成する熱可塑性樹脂にこの種の着色顔料を添加することにより耐圧性容器２の耐候性をいっそう向上させることができるとともに外観性の向上を図ることができる。
【００１６】
耐圧性容器２は、前述のように耐圧性を有する熱可塑性樹脂をブロー成形したものであるが、そのブロー成形としては、ダイレクトブロー成形法や２軸延伸ブロー成形法が挙げられる。これらの中でも、耐圧性容器２は、軽量な本体部を容易に形成できるという観点から、ダイレクトブロー成形法で成形することが好ましい。
【００１７】
耐圧性容器２を構成する耐圧性を有する熱可塑性樹脂として用いられる樹脂は、ポリアミド（ＰＡ）、非晶ポリアリレート（ＰＡＲ）、ポリカーボネート（ＰＣ）、ポリエーテルサルフォン（ＰＥＳ）、ポリメタクリル酸メチル（ＰＭＭＡ）、ポリフェニレンエーテル（ＰＰＥ）、ポリスチレン（ＰＳ）、ポリサルフォン（ＰＳＦ）、又は、これらをポリマーアロイ化としたもの等が挙げられる。これらの中でも、非晶性樹脂は、耐熱性、耐衝撃性の観点から、ポリフェニレンエーテル（ＰＰＥ）を用いたポリマーアロイであることが好ましい。具体的には、ポリフェニレンエーテル（ＰＰＥ）とポリスチレン（ＰＳ）とのポリマーアロイ（ＰＰＥ／ＰＳアロイ）、ポリフェニレンエーテル（ＰＰＥ）と耐衝撃性ポリスチレン（ＨＩＰＳ）とのポリマーアロイ（ＰＰＥ／ＨＩＰＳアロイ）、又は、ポリフェニレンエーテル（ＰＰＥ）とポリアミド（ＰＡ）とのポリマーアロイ（ＰＰＥ／ＰＡアロイ）等の変性ポリフェニレンエーテルが挙げられる。また、これらの中でも、非晶性樹脂は、耐圧性が極めて優れるＰＰＥ／ＰＳアロイであることが特に好ましい。
【００１８】
耐圧性容器２の破壊圧力は、４．０ＭＰａ以上であることが好ましい。この場合、一般の消火器における高圧ガスが消火器用容器内を加圧しても、消火器用容器の変形を確実に防止できる。
【００１９】
耐圧性容器２を構成する耐圧性を有する熱可塑性樹脂の曲げ弾性率は、２０００Ｍｐａ以上であることが好ましく、２０００〜５０００ＭＰａであることがより好ましい。なお、この曲げ弾性率は、ＡＳＴＭ  Ｄ７９０に準じて測定した値である。曲げ弾性率が２０００ＭＰａ未満であると、曲げ弾性率が上記範囲内にある場合と比較して、耐圧性に劣る傾向があり、圧力に対して胴部に永久変形が生じる虞がある。
【００２０】
耐圧性容器２の曲げ強さは、７０ＭＰａ以上であることが好ましく、７０〜９５ＭＰａであることがより好ましい。なお、この曲げ強さは、ＡＳＴＭ  Ｄ７９０に準じて測定した値である。曲げ強さが７０ＭＰａ未満であると、曲げ強さが上記範囲内にある場合と比較して、耐圧強度に劣る傾向があり、圧力に対して亀裂が生じ易くなる。
【００２１】
耐圧性容器２のアイゾット衝撃強さは、９０Ｊ／ｍ以上であることが好ましく、９０〜１５０Ｊ／ｍであることがより好ましい。この引張り強さは、ＡＳＴＭ  Ｄ２５６（ノッチ付き）に準じて測定した値である。アイゾット衝撃強さが９０ＭＰａ未満であると、アイゾット衝撃強さが上記範囲内にある場合と比較して、耐衝撃性に劣る傾向があり、落下等により破裂する虞がある。
【００２２】
耐圧性容器２の外周を覆うようにシュリンクラベル１５は密着させることが好ましい。シュリンクラベル１５は、円筒状の熱収縮性フィルムからなるものが好適に用いられる。そして、このようなシュリンクラベル１５としては、ポリエステル、ポリウレタン、ナイロン、ポリエチレン、ポリプロピレン等からなる単層または多層の透明なフィルムが用いられる。中でもシュリンクラベル１５としては、汎用性の観点から、ポリエステルからなる熱収縮性フィルムであることが好ましい。シュリンクラベル１５には印刷を施すことができる。シュリンクラベル１５は、全面に印刷が施されていることが好ましい。すなわち、シュリンクラベル１５は、耐圧性容器２に種々の表示をするとともに、外部からの紫外線を遮断するように、透明な熱収縮性フィルムの裏面に印刷を行い、裏面が内側となるように円筒状に形成されていることが好ましい。これにより、耐圧性容器２の紫外線遮断効果のいっそうの向上が図られる。
【００２３】
なお、本発明に係る消火器１は、耐久性の観点から加圧式消火器であることが好ましく、このため用いられる消火剤は粉末であることが好ましい。例えば、リン酸二水素アンモニウムを主成分とするもの、炭酸水素ナトリウムを主成分とするもの、炭酸水素カリウムを主成分とするもの等である。なお、蓄圧式の消火器を用いてもよい。
【００２４】
本発明に係る消火器１の耐圧性容器２は、図４ないし図６に示すようにブロー成形されるものである。すなわち、１６、１６は分割金型、１７は押出ヘッドであって、押出ヘッド１７から押出するパリソン１８は、紫外線遮蔽剤を添加し、さらに紫外線吸収性能を有する着色顔料を添加した耐圧性を有する熱可塑性樹脂を加熱溶融状態としたものである。ブロー成形にあたっては、分割金型１６、１６間にパリソン１８を配置し（図４）、次いで分割金型１６、１６を型締めするとともにブロー成形して（図５）、耐圧性容器２を取り出す（図６）。なお、図６に示すように耐圧性容器２の底部に生じているバリ１９は後加工により除去する。
【符号の説明】
【００２５】
１  消火器
２  耐圧性容器
３  胴部
４  肩部
５  口部
６  底部
７  ネジ部
８  操作部
９  キャップ
１０  固定レバー
１１  可動レバー
１２  消火剤噴射ホース
１３  底部カバー
１４  掛け止めフック
１５  シュリンクラベル
１６、１６  分割金型
１７  押出ヘッド
１８  パリソン
１９  バリ
ａ  紫外線遮蔽剤
ｂ  紫外線吸収性能を有する着色顔料
【図１】
2011050516.tif 000003
【図２】
2011050516.tif 000004
【図３】
2011050516.tif 000005
【図４】
2011050516.tif 000006
【図５】
2011050516.tif 000007
【図６】
2011050516.tif 000008